(57)【要約】      （修正有）【課題】  撮像装置の内蔵電池を取り出す作業性を改善しながらも、装置の小型化やデザイン性の向上と両立させる。【解決手段】  光学部材及び接眼部材からなるファインダーと、その上面ないし側面に配置された内蔵電池とを備え、ファインダーの接眼部材を取り外して前記内蔵電池が着脱可能に露出し光学部材が露出するよう配置した。【選択図】  図３
2007201790.tif 000002
【特許請求の範囲】
【請求項１】
光学部材及び接眼部材からなるファインダーと、電池とを備えた撮像装置であって、
前記電池はファインダーの上面もしくは側面に配置されたことを特徴とする撮像装置。
【請求項２】
前記接眼部材を取り外すことで前記電池が着脱可能に露出することを特徴とする請求項１に記載の撮像装置。
【請求項３】
前記光学部材間を覗くための開口部を備え、
前記接眼部材を取り外すことで開口部が露出することを特徴とする請求項１ないし請求項２に記載の撮像装置。
【発明の詳細な説明】
【技術分野】
【０００１】
本発明は撮像装置に関するものである。
【背景技術】
【０００２】
ビデオカメラなどの撮像装置をはじめとして電子機器では、機器を作動させる主電源の他に、内蔵時計や機器の各種設定のバックアップのための電源として小型の電池（以下、バックアップ電池と記す。）を内蔵する場合がある。バックアップ電池には、いわゆるボタン電池と呼ばれるような一次電池（以下、バックアップ一次電子と記す。）と、充電することによって再使用可能になる二次電池（以下、バックアップ二次電子と記す。）とが知られている。
【０００３】
電池は鉛やカドミウム化合物などの有害物質を含むことがあり、それらが環境へ流出することを防ぐため、廃棄方法に注意を払わなければならない。そのため電子機器の廃棄に際しては、バックアップ電池を分別する必要がある。
【０００４】
バックアップ一次電池を使用する電子機器においては、使用者が電池交換することを前提として機器設計されているため、その分別は容易である。一方、バックアップ二次電池の場合は、通常の機器使用によってバックアップ二次電池を追加充電するよう設計されるのが一般的であり、使用者が交換することを前提としない。従って、その配置に制約が少なく、製造者の都合に応じた機器設計が可能となる。
【０００５】
ここで、従来のビデオカメラのレイアウトを説明する。
図８から図１３は従来のディスクビデオカメラ９００の外観を表している。図８はビデオカメラ９００前方からの俯瞰図、図９は同じく後方からの俯瞰図である。図１０はビデオカメラ９００の側面、後述するＬＣＤモニタを開いた状態を表す。図１１および図１２は後述するディスクカバーを開けた状態を表し、図１３は同じく後述する端子フタを開いた状態を表す。
【０００６】
また、図１４から図１６はビデオカメラ９００の内部レイアウトと外観を対比して表す模式図である。各図において（Ａ）は内部レイアウトを表し、（Ｂ）は外観形状を表す。図１７は本ビデオカメラ９００の構成を示すブロック図である。
【０００７】
なお、これらの図において同一のものを指す場合には、同一の符号を用いるものとする。
【０００８】
まず、図１４（Ａ）を用いて本ビデオカメラ９００の内部レイアウトを説明する。本ビデオカメラ９００は、ＣＣＤに代表される撮像素子を撮像光学系に取り付けて成るカメラユニット１５０１を備えている。カメラユニット１５０１の下部には、本ビデオカメラの制御を司る主基板１５０２と、その側面部に電源たる充電式バッテリーパック１５０３を取り付けるバッテリー装着部、さらにその外側に開閉自在なヒンジ機構で本体に接続されたＬＣＤモニタ９０６を備えている。一方、主基板１５０２の他側面側には、ＤＶＤ−Ｒなどのディスク状記録メディアを用いて画像データを記録再生するディスクドライブ装置１２０１を配置して成っている。
【０００９】
図１５（Ａ）は、ディスクビデオカメラ９００の把持部側のレイアウト図である。図１５（Ａ）のように、光ピックアップ装置１６０１（以下、ＯＰＵと記す。）がディスクビデオカメラ９００後方から前方に向けて略水平方向を移動するようにディスクドライブ装置１２０１が配置されている。２点鎖線はディスクメディア１３０１を表している。ディスクドライブ装置１２０１の前方側にはストロボ発光部９０５が配置されている。
【００１０】
他方、図１６（Ａ）に示すＬＣＤモニタ９０６側の側面は、カメラユニット１５０１とファインダー装置１００６が配置されている。またファインダー装置１００６下部には内蔵ストロボ回路を実装したストロボ基板１７０１を配置し、主コンデンサ１７０２を接続している。その後方、電源スイッチ１００７との間には、メモリーカードコネクタ１７０３とバックアップ二次電池１７０４とをそれぞれ表裏に配置したカード基板１７０５を配置している。その下には、外観デザインに沿うようにＵＳＢジャック１４０１と電源ジャック１４０２が配置されている。
【００１１】
図８から図１３を用いて、ビデオカメラ９００の外観を説明する。正面部に撮像光学系を構成する撮像レンズ９０１、その下部に被写体照明用の投光部９０２、赤外線を利用したリモコン受光部９０３、音声を収録するマイク部９０４が配置されている。また、撮像レンズ９０１の横にはストロボ発光部９０５が配置されている。ビデオカメラ９００側面部、ＬＣＤモニタ９０６側には操作スイッチ群９０７が配置されている。これらの操作スイッチ９０７は、ディスクメディア１３０１に記録された映像の再生停止や、ビデオカメラ９００本体の各種機能の設定メニューを操作する際に用いられる。他方、ディスクドライブ１２０１側は、ディスクメディア１３０１を覆うディスクカバー１００１が外観を占めている。ディスクカバー１００１は使用者が把持しやすいような緩やかな曲面で形成されている。ディスクカバー１００１は、オープンスイッチ１００２の操作により図示しないロック機構が作動して係止が解かれ、図示しない付勢ばねの力で持ち上がって開く。図１１はディスクカバー１００１が開いた状態を表す俯瞰図である。ディスクカバー１００１が開くと、ディスクドライブ装置１２０１の一部が露出する。こうして、ディスクドライブ装置１２０１にディスクメディア１３０１をセットすることが出来る（図１２）。ディスクカバー１００１を閉じると前述のロック機構が作動し、ディスクカバー１００１を係止する。
【００１２】
図９において、ディスクカバー１００１の上部にはズーム操作を行うズームレバー１００３、静止画撮影に使用するフォトスイッチ１００４が配置されている。後方部には、動画撮影に使用するトリガースイッチ１００５を配置している。カメラユニット１５０１の後方にあたる部分にファインダー装置１００６が配置され、その下部には本機の電源スイッチ１００７が配置されている。以上に述べた操作スイッチなどは、使用者の操作に応じて主基板１５０２上に実装された制御部１８０１に信号を送り、それに応じて制御部１８０１は本機各部、例えばカメラユニット１５０１の焦点距離や、ＬＣＤモニタ９０６の表示などを制御駆動する。
【００１３】
図１０のようにＬＣＤモニタ９０６を開くと、バッテリーパック装着部１１０１が表れる。バッテリーパック装着部１１０１は、バッテリーパック１５０３の外形に対応したバスタブ状の凹形状で形成されている。また、バッテリーパック１５０３と本機を電気的に接続する図示しないバッテリー端子と、バッテリーパック１５０３をロックして脱落しないようにする図示しないロック機構とが配置されている。
【００１４】
図１３は、本ビデオカメラ９００の後面を表している。メモリーカードフタ１４０３を開くとメモリーカード挿入口１４０４が表れ、挿入口１４０４奥に先述のメモリーカードコネクタ１７０３が配置されている。また、端子フタ１４０５を開くと、先述のＵＳＢジャック１４０１と電源ジャック１４０２が表れる。
【００１５】
図１７により、本ビデオカメラ９００のシステムを簡単に説明する。
カメラユニット１５０１で光電変換された画像は、信号処理回路１８０２にて所定の画像信号に変換される。次に記録処理回路１８０３にて所定の記録信号に変換され、記録／再生回路１８０４を経てディスクドライブ装置１２０１にてディスクメディア１３０１に記録される。または、キャラクタジェネレータ１８０５によって生成されたキャラクタ信号を重畳し、ＬＣＤモニタ９０６ないしファインダー装置１００６に画像を表示する。制御部１８０１は各処理回路と通信し、機器全体の動作を制御している。制御部１８０１と各処理回路は主基板１５０２上に実装されている。
【００１６】
主基板１５０２とカード基板１７０５とがＦＰＣなどの図示しない配線材を用いて接続されており、バックアップ二次電池１７０４は制御部１８０１に電力を供給、または図示しない電源回路から電力供給を受けて充電される。
【００１７】
ディスクビデオカメラのレイアウトに関しては、特許文献１に開示されている。
【特許文献１】特開２００５−１８４６６８号公報
【発明の開示】
【発明が解決しようとする課題】
【００１８】
以上に説明したビデオカメラ９００は、小型化および外観のデザイン性を重視したコンポーネント配置の結果、バックアップ二次電池を図１６（Ａ）に示すように機器の内部、外装から離れた奥深い位置に配置することとなった。このため、本ビデオカメラ９００は、バックアップ二次電池１７０４を分別するために以下の手順を踏む必要がある。
【００１９】
図１８および図１９に、本ビデオカメラ９００のバックアップ二次電池１７０４を分別する手順を示している。
【００２０】
まず、図１８（Ａ）から（Ｄ）のように各所のビスを外す。次に、図１９（Ａ）のように上カバー２００１を外し、続いて（Ｂ）のように後部カバー２００２、バッテリー装着部カバー２００３を外す。すると先述のカード基板１７０５が表れるので、高電圧部を有するストロボ基板１７０１に注意しながらカード基板１７０５を外す。以上にて分別作業が完了する。以上の作業は、一般の使用者が行うには煩雑であり、特に高電圧部が露出するなど注意を要するものであった。
【００２１】
このように、機器の小型化やデザイン性向上などの要請に応じるため、それらがバックアップ二次電池の分別作業性より優先される場合があった。
【００２２】
また、図２０に示す別のビデオカメラ２１００のように、バッテリー装着部２１０１に設けたメンテナンス用のカバー２１０２（以降、サービスカバー２１０２と記す。）を外すことで、図２１のようにバックアップ二次電池２２０１が露出するよう構成されたものもある。この構造によれば、ビス２１０３を外すだけでバックアップ二次電池２２０１を分別することができる。しかしながら、図２２に示す内部レイアウトのように、内部の主基板２３０１とバッテリー装着部２１０１の間にバックアップ二次電池２２０１を配置する空間ａが必要になる。こうしてバックアップ二次電池２２０１の周辺にデッドスペースが生じ、ビデオカメラ２１００の小型化を阻んでいた。
【００２３】
以上説明してきたように、機器の廃棄時に使用者がバックアップ二次電池を分別することを考慮し、その手段をできだけ簡便なものにしておくことが求められている反面、機器の小型化やデザイン性の向上と両立させることに課題があった。
【課題を解決するための手段】
【００２４】
上記の課題を解決するために、本発明の撮像装置は、光学部材及び接眼部材からなるファインダーと電池とを備え、前記電池はファインダーの上面もしくは側面に配置されたことを特徴とする。
また、前記接眼部材を取り外すことで前記電池が着脱可能に露出することを特徴とする。
【００２５】
さらに、前記光学部材間を覗くための開口部を備え、前記接眼部材を取り外すことで開口部が露出することを特徴とする。
【発明の効果】
【００２６】
以上説明したように本発明の撮像装置によれば、ファインダーの上面ないし側面に内蔵電池を配置して、スペース効率の良いレイアウトを実現できる。
【００２７】
また、ファインダーの接眼部材を取り外すことで内蔵電池にアクセスできるように配置し、分別作業の迅速化を図ることができる。
【００２８】
さらに、ファインダーの接眼部材を取り外すことで、光学系スペースを覗く開口部をも露出するよう配置し、ファインダー内のゴミ除去などのメンテナンス性を同時に向上させることができる。
【発明を実施するための最良の形態】
【００２９】
以下、本発明の実施形態を説明する。
【００３０】
図１および図２は本発明のディスクビデオカメラ１００の外観を表している。図１は本ビデオカメラ１００前方からの俯瞰図、図２は同じく後方からの俯瞰図である。図３は本ビデオカメラ１００の内部レイアウトの一部を示した模式図である。本ビデオカメラ１００は、先に説明した従来のビデオカメラ９００と同様のシステム（図１８）を有するものとし、ここでの説明は省略する。
【００３１】
本ビデオカメラ１００の外観を説明する。正面部に撮像光学系を構成する撮像レンズ１０１、被写体照明用の投光部１０２、リモコン受光部１０３、マイク部１０４、ストロボ発光部１０５が配置されている。ビデオカメラ１００側面部、ＬＣＤモニタ１０６側には操作スイッチ群１０７が配置されている。ＬＣＤモニタ１０６を開くとバッテリーパック装着部１０８が表れる。他方、図２にしめす把持部側は、ディスクカバー２０１が外観を占めている。ディスクカバー２０１の上部にはズームレバー２０２、フォトスイッチ２０３が配置されている。後方部には、トリガースイッチ２０４、ファインダー装置２０５、電源スイッチ２０６が配置されている。
【００３２】
次に、図３を用いて本ビデオカメラ１００のバックアップ二次電池３０１の配置を説明する。
【００３３】
本ビデオカメラ１００は、カメラユニット３０２後方にファインダー装置２０５を配置し、また、カメラユニット３０２の下部に主基板３０３を配置している。ファインダー装置２０５下部に内蔵ストロボの主コンデンサ３０４を配置している。バックアップ二次電池３０１は、その主面がファインダー光学系の光軸に平行になるよう、ファインダー装置２０５の上面に配置している。バックアップ二次電池３０１収納部は、カメラユニット３０２からファインダー装置２０５に向けて滑らかに繋がる自由局面で外観面３０５を形成する。
【００３４】
図４はファインダー装置２０５の構造を示している。接眼レンズ３０６やＬＣＤなどの表示素子３０７で構成されるファインダー光学系を保持する筒状のファインダーケース４０１があり、その側面に主コンデンサ３０４を実装したストロボ基板４０５を取り付けている。ファインダーケース４０１には、内部に進入したゴミなどを除去するための清掃窓４０４を設けてある。
【００３５】
図５は、ファインダー装置２０５とストロボ基板４０５を分離した分解図である。ストロボ基板４０５はいわゆるリジットフレキ基板であり、ストロボ回路部５０１、バックアップ二次電池実装部５０２、主基板３０３に接続するコネクタ４０３を実装した接続部５０３、をフレキケーブル５０４で接続している。本ストロボ基板４０５は、フレキケーブル５０４の屈曲性を使って折り畳み、ビス５０５および５０６でファインダーケース４０１に取り付けて図４に示す状態に組み立てられる。
【００３６】
さて、図６により本ビデオカメラ１００のバックアップ二次電池３０１の取り出し方法を説明する。
【００３７】
本ビデオカメラ１００は、接眼部を形成するパーツ（以降、アイカップ６０１と記す。）を取り外すことが分解手順の最初である。アイカップ６０１は、ビス６０２を外し、ファインダーケース４０１の長手方向に沿って引き抜く。図７に示すように、アイカップ６０１はファインダーケース４０１の外形に被さる筒形状７０３で嵌合し、ファインダーケース４０１長手方向をガイドとしてスライドできる。また、ファインダーケース４０１の側面に設けた爪７０１とアイカップ６０１側面の穴７０２とで係止構造が設けられている。アイカップ６０１を所定以上の力で引っ張ると、アイカップ６０１自身が撓んで係止が外れ、本体から分離される。なお、係止部は本体カバーに覆われていて、外からは見えないようになっている。
【００３８】
アイカップ６０１は、バックアップ二次電池３０１を覆う外観面３０５を形成するパーツが結合されており、上記の作業を経てアイカップ６０１を取り外すとバックアップ二次電池３０１が露出し、取り外し可能となる。
【００３９】
また、清掃窓４０４をバックアップ二次電池３０１近傍に配置したので、アイカップ６０１を取り外すだけで、それが利用可能となる。
【００４０】
以上のように本ビデオカメラ１００は、バックアップ二次電池３０１をファインダー装置２０５近傍、特にカメラユニット３０２とファインダー装置２０５のイメージサイズの違いよるサイズギャップを利用して配置し、デッドスペースの少ない効率的な配置を実現した。もちろん、バックアップ二次電池３０１は、ファインダー装置２０５の上面に限らず、その側面部に配置しても良い。また、ファインダー光学系の光路を避けた範囲であれば、バックアップ二時電池３０１をファインダー装置２０５に食い込む形で配置しても良い。
【００４１】
さらに、バックアップ二次電池３０１を覆う外装をアイカップ６０１で構成し、ファインダーケース４０１に対して嵌合関係を持たせたことで、複雑な自由曲面で構成された外観であっても外装の固定を確実かつ簡潔にすることができる。そして、本体から突出したアイカップ６０１自身の形状を取っ手として利用でき、特別な形状を設けずとも容易に分解作業が行える利点も得ることができる。さらに、バックアップ二次電池３０１の近傍に清掃窓４０４を配置して、ともにアイカップ６０１を外すだけでアクセスできる好メンテナンス性も得ることができる。さらに接眼レンズ３０６全面が表れるので、レンズ面の清掃も容易になる。
【図面の簡単な説明】
【００４２】
【図１】本発明のビデオカメラの、前方からの俯瞰図である。
【図２】本発明のビデオカメラの、後方からの俯瞰図である。
【図３】本発明のビデオカメラの、内部レイアウトの一部を表す図である。
【図４】本発明のファインダー装置の外観図である。
【図５】本発明のファインダー装置の分解図である。
【図６】本発明のビデオカメラの、アイカップを取り外した図である。
【図７】本発明のファインダー装置とアイカップとの関係を表す図である。
【図８】従来のビデオカメラの、前方からの俯瞰図である。
【図９】従来のビデオカメラの、後方からの俯瞰図である。
【図１０】従来のビデオカメラの、ＬＣＤモニタ側の俯瞰図である。
【図１１】従来のビデオカメラの、ディスクカバーを開いた状態の図である。
【図１２】従来のビデオカメラの、ディスクメディアを装着した状態の図である。
【図１３】従来のビデオカメラの、端子などの配置を表す図である。
【図１４】従来のビデオカメラの内部レイアウトを、正面側から表した図である。
【図１５】従来のビデオカメラの内部レイアウトを、把持部側から表した図である。
【図１６】従来のビデオカメラの内部レイアウトを、ＬＣＤモニタ側から表した図である。
【図１７】従来のビデオカメラのブロック図である。
【図１８】従来のビデオカメラの、分解手順図である。
【図１９】従来のビデオカメラの、分解手順図である。
【図２０】従来の第２のビデオカメラ外観図である。
【図２１】従来の第２のビデオカメラの、サービスカバーを外した状態の図である。
【図２２】従来の第２のビデオカメラの、内部レイアウト図である。
【符号の説明】
【００４３】
１００、９００  ディスクビデオカメラ
１０１、９０１  撮像レンズ
１０２、９０２  投光部
１０３、９０３  リモコン受光部
１０４、９０４  マイク部
１０５、９０５  ストロボ発光部
１０６、９０６  ＬＣＤモニタ
１０７、９０７  操作スイッチ群
１０８、１１０１、２１０１  バッテリーパック装着部
２０１、１００１  ディスクカバー
２０２、１００３  ズームレバー
２０３、１００４  フォトスイッチ
２０４、１００５  トリガースイッチ
２０５、１００６  ファインダー装置
２０６、１００７  電源スイッチ
３０１、１７０４、２２０１  バックアップ二次電池
３０２、１５０１  カメラユニット
３０３、１５０２、２３０１  主基板
３０４、１７０２  主コンデンサ
３０５  外観面
３０６  接眼レンズ
３０７  表示素子
４０１  ファインダーケース
４０４  清掃窓
４０３  コネクタ
４０５、１７０１  ストロボ基板
５０１  ストロボ回路部
５０２  バックアップ二次電池実装部
５０３  接続部
５０４  フレキケーブル
５０５、５０６、６０２、２１０３  ビス
６０１  アイカップ
７０１  爪
７０２  穴
７０３  筒形状
１００２  オープンスイッチ
１２０１  ディスクドライブ装置
１３０１  ディスクメディア
１４０１  ＵＳＢジャック
１４０２  電源ジャック
１４０３  メモリーカードフタ
１４０４  メモリーカード挿入口
１４０５  端子フタ
１５０３  バッテリーパック
１６０１  光ピックアップ装置
１７０３  メモリーカードコネクタ
１７０５  カード基板
１８０１  制御部
１８０２  信号処理回路
１８０３  記録処理回路
１８０４  記録／再生回路
１８０５  キャラクタジェネレータ
２００１  上カバー
２００２  後部カバー
２００３  バッテリー装着部カバー
２１００  ビデオカメラ
２１０２  サービスカバー
【図１】
2007201790.tif 000003
【図２】
2007201790.tif 000004
【図３】
2007201790.tif 000005
【図４】
2007201790.tif 000006
【図５】
2007201790.tif 000007
【図６】
2007201790.tif 000008
【図７】
2007201790.tif 000009
【図８】
2007201790.tif 000010
【図９】
2007201790.tif 000011
【図１０】
2007201790.tif 000012
【図１１】
2007201790.tif 000013
【図１２】
2007201790.tif 000014
【図１３】
2007201790.tif 000015
【図１４】
2007201790.tif 000016
【図１５】
2007201790.tif 000017
【図１６】
2007201790.tif 000018
【図１７】
2007201790.tif 000019
【図１８】
2007201790.tif 000020
【図１９】
2007201790.tif 000021
【図２０】
2007201790.tif 000022
【図２１】
2007201790.tif 000023
【図２２】
2007201790.tif 000024